(57)【要約】【課題】信頼性が高い各種機器の制御を行うことができ、回路を増やさずに制御の種類および制御の対象となる機器の数を豊富にすることができるワイヤレスマイク通信システムを提供することを目的としている。【解決手段】ワイヤレスマイク１の使用者は入出力回路１０にて制御種別を指定する。この指定に応じて制御回路１１はトーン発生回路１２を制御し、所定のタイミングで上記３種類のトーン信号をオン／オフし、発信／変調回路１３に入力する。ここで前記トーン信号により搬送波信号が変調され、被変調波となり、アンテナ１６を介してワイヤレス受信機２に送出される。ワイヤレス受信機においては、前記被変調波は、検波されて変調信号が検出される。この変調信号はバンドパスフィルタでフィルタリングされ、それぞれ対応するトーン信号が取り出される。この信号は検出回路に入力され、トーン信号の有無が検出される。この情報は制御回路に入力され、解析される。これに基づき、制御回路は入出力回路を介してワイヤレス受信機に接続される各種機器の制御を行う。【選択図】  図１
2004173297.tif 000002
【特許請求の範囲】
【請求項１】
送信装置と受信装置とがトーン信号を用いたワイヤレス方式で接続されており、トーン信号を用いて音声通信を行うとともに、送信装置で受信装置側の機器を制御するためのトーン信号を搬送波信号で変調し、変調された被変調波信号を空間に放射し、前記受信装置において前記被変調波信号を検出して機器の制御を行う、ワイヤレスマイクロフォン通信システムにおいて、
前記送信装置は、
音声通信、および、機器の制御に用いる、所定の周波数帯域内の複数の異なる周波数のトーン信号を生成するトーン信号生成手段と、
前記受信装置側における機器と、その機器の動作を指定する機器指定手段と、
前記機器指定手段で指定された機器に応じて予め設定されたオン／オフパターンのパルス信号を生成して、当該パルス信号がオンまたはオフのいずれかの期間前記トーン信号生成手段で生成された複数のトーン信号のうちの第１のトーン信号、および、前記機器の制御に用いる前記トーン信号生成手段で生成された前記複数のトーン信号のうちの前記第１のトーン信号とは異なる他のトーン信号を変調信号として搬送波信号を変調する変調手段と、
前記変調手段で変調された被変調波信号を空間に放射する信号放射手段と
を有し、
前記受信装置は、
前記信号放射手段から空間に放射された前記被変調波信号を受信し、該受信した被変調波信号を検波して前記変調信号を検出する受信手段と、
それぞれ前記複数のトーン信号の異なる周波数の帯域通過特性を有し、前記受信手段で検出した前記変調信号をフィルタリングする複数の帯域通過フィルタと、
前記複数の帯域通過フィルタを通過した信号を入力し、前記機器を示すパルス信号に該当する信号を検出する第１の検出手段と、
前記複数の帯域通過フィルタを通過した信号を入力し、前記他のトーン信号を検出する第２の検出手段と、
前記第１および第２の検出手段で検出した内容に応じて、前記送信装置において指定された機器を駆動するための制御動作を行う制御手段と
を有する、
ワイヤレス・マイクロフォン通信システム。
【請求項２】
音声信号の送信に加えて、トーン信号を用いて機器の制御動作を行なわせるワイヤレス・マイクロフォン通信システムにおいて、
前記機器の選択と制御動作を指定する制御動作指定手段と、
前記制御動作指定手段で指定された機器およびその機器の制御動作に応じたタイミングでオン／オフする複数のタイミング信号を生成するタイミング生成手段と、
複数の機器の制御のため１つの周波数のトーン信号を生成し、前記タイミング生成手段で生成されたオン／オフタイミングのオン期間、前記トーン信号を出力するトーン生成手段と、
前記トーン生成手段から出力されたオン期間のトーン信号により搬送波信号を変調し、該被変調波信号を空間に放射する手段と、
前記放射手段から空間に放射された前記被変調波信号を受信し、前記１つの周波数の前記トーン信号を再生する手段と、
前記再生した信号のオン／オフ状態に応じた機器および制御動作を検出し、検出した結果に応じて機器の制御動作を行う制御手段と
を具備する、ワイヤレス・マイクロフォン通信システム。
【請求項３】
音声信号の送信に加えて、トーン信号を用いて機器の制御動作を行なわせるワイヤレス・マイクロフォン通信システムにおいて、
前記機器の選択と制御動作とを指定する制御動作指定手段と、
前記制御動作指定手段で指定された機器に応じたタイミングでオン／オフする複数のタイミング信号を生成するタイミング生成手段と、
複数の機器の選択に使用する第１の周波数の第１のトーン信号と、機器の制御動作の選択に使用する第２の周波数の第２のトーン信号とを生成し、前記第１のトーン信号を前記タイミング生成手段で生成されたオン／オフタイミングで出力し、前記第２のトーン信号を連続的に出力する、トーン信号生成手段と、
前記トーン生成手段から出力されたオン期間のトーン信号により搬送波信号を変調し、該被変調波信号を空間に放射する手段と、
前記放射手段から空間に放射された前記被変調波信号を受信し、前記第１のトーン信号および前記第２のトーン信号を再生する手段と、
前記再生した第１のトーン信号のオン／オフ状態に応じた機器を選択し、前記再生した第２のトーン信号に応じて選択した機器の制御動作を行う制御手段と
を具備する、ワイヤレス・マイクロフォン通信システム。
【請求項４】
音声信号の送信に加えて、トーン信号を用いて機器の制御動作を行なわせるワイヤレス・マイクロフォン通信システムに使用するワイヤレス・マイクロフォン送信機であって、
前記機器の選択と制御動作を指定する制御動作指定手段と、
前記制御動作指定手段で指定された機器およびその機器の制御動作に応じたタイミングでオン／オフする複数のタイミング信号を生成するタイミング生成手段と、
複数の機器の制御のため１つの周波数のトーン信号を生成し、前記タイミング生成手段で生成されたオン／オフタイミングのオン期間、前記トーン信号を出力するトーン生成手段と、
前記トーン生成手段から出力されたオン期間のトーン信号により搬送波信号を変調し、この被変調波信号を空間に放射する手段と
を有するワイヤレス・マイクロフォン送信機。
【請求項５】
音声信号の送信に加えて、トーン信号を用いて機器の制御動作を行なわせるワイヤレス・マイクロフォン通信システムに使用するワイヤレス受信機であって、  複数の機器の制御のため１つの周波数のトーン信号をオン／オフタイミングで選択出力した信号で搬送波信号を変調され、該被変調波信号を空間に放射された信号を受信し、前記１つの周波数の前記トーン信号を再生する手段と、
前記再生した信号のオン／オフ状態に応じた機器および制御動作を検出し、検出した結果に応じて機器の制御動作を行う制御手段と
を具備するワイヤレス受信機。
【請求項６】
音声信号の送信に加えて、トーン信号を用いて機器の制御動作を行なわせるワイヤレス・マイクロフォン通信システムに用いるワイヤレス送信機であって、
前記機器の選択と制御動作とを指定する制御動作指定手段と、
前記制御動作指定手段で指定された機器に応じたタイミングでオン／オフする複数のタイミング信号を生成するタイミング生成手段と、
複数の機器の選択に使用する第１の周波数の第１のトーン信号と、機器の制御動作の選択に使用する第２の周波数の第２のトーン信号とを生成し、前記第１のトーン信号を前記タイミング生成手段で生成されたオン／オフタイミングで出力し、前記第２のトーン信号を連続的に出力する、トーン信号生成手段と、
前記トーン生成手段から出力されたオン期間のトーン信号により搬送波信号を変調し、この被変調波信号を空間に放射する手段と
を有する、ワイヤレス送信機。
【請求項７】
音声信号の送信に加えて、トーン信号を用いて機器の制御動作を行なわせるワイヤレス・マイクロフォン通信システムに使用するワイヤレス受信機であって、
複数の機器の選択に使用する第１の周波数の第１のトーン信号と、機器の制御動作の選択に使用する第２の周波数の第２のトーン信号とで、搬送波信号を変調し、該被変調波信号を空間に放射された信号を受信し、前記第１のトーン信号および前記第２のトーン信号を再生する手段と、
前記再生した第１のトーン信号のオン／オフ状態に応じた機器を選択し、前記再生した第２のトーン信号に応じて選択した機器の制御動作を行う制御手段と
を具備するワイヤレス受信機。
【発明の詳細な説明】
【技術分野】
【０００１】
本発明は、トーン信号を使用し、音声信号の送受信とともに各種機器の制御を行うワイヤレス・マイクロフォン通信システム、および、そのワイヤレス・マイクロフォン通信システムに使用するワイヤレス・マイクロフォン送信機およびワイヤレス受信機に関する。
【背景技術】
【０００２】
従来のトーン信号を使用し、各種機器の制御を行うワイヤレス・マイクロフォン通信システム、例えば、駅においてアナウンスを行うとともに各種制御を行うシステムにおいては、以下に述べるような方法で各種機器の制御を行っていた。
【０００３】
たとえば、特開平４−２６２３５号公報（特許文献１）は、鉄道ホームにおける乗降客案内放送に加えて、発車ベルの鳴動および駅舎への非常放送を無線指令で可能にするため、各ホームごとに異なる基本周波数を用い、かつ、用途ごと異なる周波数を用いることを特徴としているワイヤレス・マイクロフォン通信システムを開示している。
特許文献１の第１〜第４図を参照して記載している送信側には、切替スイッチとして、ホーム選択スイッチ、放送スイッチ、発車ベルスイッチまたは非常放送転送スイッチが設けられており、送信側の発信回路は、各ホーム毎に異なる基本周波数ｆ１の信号を形成し、各ホーム毎の基本周波数ｆ１に、周波数ｆ２の案内放送用音声信号、周波数ｆ３の発車ベル鳴動信号、周波数ｆ４の駅舎への非常放送転送用信号のいずれかの信号を重畳させて電波として発信する。すなわち、発信回路は、目的に応じて複数の周波数ｆ２〜ｆ４を用いている。特許文献１の第５図を参照して記載されている受信側には、各ホームごとの受信装置に各周波数ｆ１〜ｆ４ごとのパンドパスフィルタとドライバとを備えている。
このように、特許文献１は、発信側のワイヤレス・マイクロフォン送信機において、切替スイッチにホーム選択スイッチと、放送スイッチと、発車ベルまたは非常放送スイッチのいずれかを備えてそれらを切り替え可能とし、その切り替えに応じて各ホームごとに異なる基本周波数ｆ１の信号を形成し、かつ、この信号に案内放送用音声信号と、発車ベル鳴動用信号と、駅舎への非常放送用信号など用途に応じて異なる周波数ｆ２〜ｆ４の信号のいずれかを重畳させて発信し、受信部においてそれらの周波数の信号を識別して対応する処理を行うワイヤレスマイクシステムを開示している。
しかしながら、特許文献１の技術は、各ホーム毎に異なる基本周波数の信号、かつ、用途に応じて異なる周波数の信号を用いるので、多数の周波数を用いる、換言すれば、広い帯域の周波数が必要になるという不利益がある。
【０００４】
また、特開平４−７９５３２号公報（特許文献２）は、鉄道ホームにおける乗降客案内や、発車ベルの鳴動および駅舎への非常放送に使用する他、一般無線機にも適用できるワイヤレスマイクシステムに関する技術を開示している。特に、特許文献２は、外来ノイズによる影響を回避するため、複数の発信周波数を発生可能な発振器を設け、外来ノイズによる影響を受けた場合、パイロットトーンの発信周波数を切り換えて外来ノイズの影響を受けにくい発信周波数を用いて通信することを特徴とする技術を開示している。
そのため、特許文献２に記載の技術は、第１図を参照して記載されている送信側に、複数の異なる周波数で発振する発振回路５、６を設けておき、切替スイッチ７で、発振回路の出力を切り換え、第２図を参照して記載されている受信側において、検出周波数の異なる複数の検出回路１２、１３を設けておき、切替スイッチ１４で、検出信号を切り換えている。
しかしながら、特許文献２の技術は、外来ノイズ対策のため少なくとも２つの周波数を使用することを開示しているに過ぎない。
【０００５】
さらに、特開昭５０−２９１１６号公報（特許文献３）は、ＦＭラジオ受信機の選択スイッチなどの操作指示をＡＭ変調してワイヤレスマイクロフォンから送出し、その送信出力をＦＭラジオ受信機で受信することにより、ＦＭラジオ受信機の選択スイッチを遠隔制御可能とした技術を開示している。すなわち、送信側においてマイクロフォン１の音声信号がＦＭ変調器３で変調され、さらにＡＭ変調器４でコントロール信号で浅いＡＭ変調して、ＦＭ−ＡＭ多重伝送を行い、受信側で送信側と逆の処理を行う。
しかしながら、特許文献３の技術は、ＡＭ変調しているので、ノイズの影響を受けやすいという不利益がある。
【０００６】
特開昭５５−１００７９５公報（特許文献４）は、送信装置と受信装置とを無線または有線が制御する遠隔制御方式に関する技術、特に、無線または不特定の有線を介して単純化された制御信号波形構成により複数の被制御体を多重遠隔制御する技術を開示している。そのため、特許文献４の送信側において、パルス幅とパルス間隔の異なるパルスを用いて制御内容を識別している（第１図）。
しかしながら、特許文献４に記載の技術は、（１）トーン信号を用いたものではなく、（２）受信側において複数の帯域通過フィルタを用いて複数のトーン信号に対応できる構成になっていず、（３）送信側においてトーン信号を変調していず、（４）音声メッセージに使用するトーン信号を併用したものでない。
【０００７】
特開平４−１８５１４２公報（特許文献５）は、あらかじめ決められた複数の命令を複数の異なる周波数、すなわち、トーンの組み合わせで構成される信号を変換して送られて来る信号を変換して信号を解読して、所定の命令に変換して出力するトーンデコーダを開示している。
しかしながら、特許文献５に記載の技術も第１〜第３の複数の周波数を用いる技術である。
【０００８】
ワイヤレス送信機（ワイヤレス・マイクロフォン装置）は、使用者の音声信号の他、限られた可聴周波数帯域内および４０ＫＨｚ以下の可聴周波数帯域外の複数のトーン信号により搬送波信号を変調し、その被変調波信号を電波としてワイヤレス受信機に伝送し、ワイヤレス受信機を介して前記トーン信号の有無に対応した各種機器への制御を行っていた。
【０００９】
まず、ワイヤレス・マイクロフォン装置の使用者は、ワイヤレス受信機を介した各種機器の制御を行う際、ワイヤレス・マイクロフォン装置に配設されたボタンスイッチを押下し、制御の種類を選択する。
この制御の種類に対応して、例えば、第一の制御には前記の内の第一のトーン信号が使用され、第一のトーン信号がワイヤレス受信機で受信された場合に第一の制御を行い、受信されなくなると第一の制御を止めるといった制御を行うという取決めがなされている。
【００１０】
ワイヤレス・マイクロフォン装置は選択された制御の種類に対応したトーン信号で搬送波信号を変調し、その被変調波信号を電波として送出する。
この電波はワイヤレス受信機で受信され、被変調波信号から変調信号が検出（検波）される。
さらにこの検波された変調信号は、使用されるトーン信号に対応して設けられ、その周波数を中心周波数とし、急峻な選択性を有するバンドパスフィルタに入力され、トーン信号が検出される。
【００１１】
ワイヤレス受信機に設けられた制御装置は、接続される各種機器についてトーン信号およびその有無に対応した制御を行う。
この例では上記取り決めに従い、第一の制御に使用される第一のトーン信号が検出された場合、第一の制御を行い、検出されなくなった場合、第一の制御を止める。
同様にして、その他の制御も別のトーン信号を使用して行われる。
【特許文献１】特開平４−２６２３５号公報
【特許文献２】特開平４−７９５３２号公報
【特許文献３】特開昭５０−２９１１６号公報
【特許文献４】特開昭５５−１００７９５公報
【特許文献５】特開平４−１８５１４２公報
【発明の開示】
【発明が解決しようとする課題】
【００１２】
従来のワイヤレス・マイクロフォン通信システムは、以上述べたように構成され、各種機器の制御を行っていたので、以下に述べるような問題点があった。
ワイヤレス受信機側で、各種制御をトーン信号の有無に基づいて行うので、トーン信号と同一の雑音が検出された場合、各種機器への制御に誤動作が生じやすく、信頼性に欠けるという問題点があった。
【００１３】
また、トーン信号の有無に基づいた制御を行う場合、その周波数は、制御に対応した数が必要となり、ワイヤレス・マイクロフォン装置において伝送可能な前記限られた可聴周波数帯域内および４０ＫＨｚ以下の可聴周波数帯域外のトーン信号の数の制限により、制御の種類および制御の対象となる機器の数に限りがあるという問題点があった。
【００１４】
本発明は上記のような問題点に鑑みてなされたものであり、雑音に強く、誤動作が生じにくく、信頼性が高い各種機器の制御を行うことができ、回路を増やさずにさらに制御の種類および制御の対象となる機器の数を豊富にすることができるワイヤレス・マイクロフォン通信システム、ワイヤレス・マイクロフォン送信機およびワイヤレス受信機を提供することを目的としている。
【課題を解決するための手段】
【００１５】
本発明の第１の観点によれば、送信装置と受信装置とがトーン信号を用いたワイヤレス方式で接続されており、トーン信号を用いて音声通信を行うとともに、送信装置で受信装置側の機器を制御するためのトーン信号を搬送波信号で変調し、変調された被変調波信号を空間に放射し、前記受信装置において前記被変調波信号を検出して機器の制御を行う、ワイヤレスマイクロフォン通信システムにおいて、
前記送信装置は、音声通信、および、機器の制御に用いる、所定の周波数帯域内の複数の異なる周波数のトーン信号を生成するトーン信号生成手段と、前記受信装置側における機器と、その機器の動作を指定する機器指定手段と、前記機器指定手段で指定された機器に応じて予め設定されたオン／オフパターンのパルス信号を生成して、当該パルス信号がオンまたはオフのいずれかの期間前記トーン信号生成手段で生成された複数のトーン信号のうちの第１のトーン信号、および、前記機器の制御に用いる前記トーン信号生成手段で生成された前記複数のトーン信号のうちの前記第１のトーン信号とは異なる他のトーン信号を変調信号として搬送波信号を変調する変調手段と、前記変調手段で変調された被変調波信号を空間に放射する信号放射手段とを有し、
前記受信装置は、前記信号放射手段から空間に放射された前記被変調波信号を受信し、該受信した被変調波信号を検波して前記変調信号を検出する受信手段と、それぞれ前記複数のトーン信号の異なる周波数の帯域通過特性を有し、前記受信手段で検出した前記変調信号をフィルタリングする複数の帯域通過フィルタと、前記複数の帯域通過フィルタを通過した信号を入力し、前記機器を示すパルス信号に該当する信号を検出する第１の検出手段と、前記複数の帯域通過フィルタを通過した信号を入力し、前記他のトーン信号を検出する第２の検出手段と、前記第１および第２の検出手段で検出した内容に応じて、前記送信装置において指定された機器を駆動するための制御動作を行う制御手段とを有する、ワイヤレス・マイクロフォン通信システムが提供される。
【００１６】
本発明の第２の観点によれば、音声信号の送信に加えて、トーン信号を用いて機器の制御動作を行なわせるワイヤレス・マイクロフォン通信システムにおいて、前記機器の選択と制御動作を指定する制御動作指定手段と、前記制御動作指定手段で指定された機器およびその機器の制御動作に応じたタイミングでオン／オフする複数のタイミング信号を生成するタイミング生成手段と、複数の機器の制御のため１つの周波数のトーン信号を生成し、前記タイミング生成手段で生成されたオン／オフタイミングのオン期間、前記トーン信号を出力するトーン生成手段と、前記トーン生成手段から出力されたオン期間のトーン信号により搬送波信号を変調し、該被変調波信号を空間に放射する手段と、前記放射手段から空間に放射された前記被変調波信号を受信し、前記１つの周波数の前記トーン信号を再生する手段と、前記再生した信号のオン／オフ状態に応じた機器および制御動作を検出し、検出した結果に応じて機器の制御動作を行う制御手段とを具備する、ワイヤレス・マイクロフォン通信システムが提供される。
【００１７】
本発明の第３の観点によれば、音声信号の送信に加えて、トーン信号を用いて機器の制御動作を行なわせるワイヤレス・マイクロフォン通信システムにおいて、前記機器の選択と制御動作とを指定する制御動作指定手段と、前記制御動作指定手段で指定された機器に応じたタイミングでオン／オフする複数のタイミング信号を生成するタイミング生成手段と、複数の機器の選択に使用する第１の周波数の第１のトーン信号と、機器の制御動作の選択に使用する第２の周波数の第２のトーン信号とを生成し、前記第１のトーン信号を前記タイミング生成手段で生成されたオン／オフタイミングで出力し、前記第２のトーン信号を連続的に出力する、トーン信号生成手段と、前記トーン生成手段から出力されたオン期間のトーン信号により搬送波信号を変調し、該被変調波信号を空間に放射する手段と、前記放射手段から空間に放射された前記被変調波信号を受信し、前記第１のトーン信号および前記第２のトーン信号を再生する手段と、前記再生した第１のトーン信号のオン／オフ状態に応じた機器を選択し、前記再生した第２のトーン信号に応じて選択した機器の制御動作を行う制御手段とを具備する、ワイヤレス・マイクロフォン通信システムが提供される。
【００１８】
本発明の第４の観点によれば、音声信号の送信に加えて、トーン信号を用いて機器の制御動作を行なわせるワイヤレス・マイクロフォン通信システムに使用するワイヤレス・マイクロフォン送信機であって、前記機器の選択と制御動作を指定する制御動作指定手段と、前記制御動作指定手段で指定された機器およびその機器の制御動作に応じたタイミングでオン／オフする複数のタイミング信号を生成するタイミング生成手段と、複数の機器の制御のため１つの周波数のトーン信号を生成し、前記タイミング生成手段で生成されたオン／オフタイミングのオン期間、前記トーン信号を出力するトーン生成手段と、前記トーン生成手段から出力されたオン期間のトーン信号により搬送波信号を変調し、この被変調波信号を空間に放射する手段とを有するワイヤレス・マイクロフォン送信機が提供される。
【００１９】
本発明の第５の観点によれば、音声信号の送信に加えて、トーン信号を用いて機器の制御動作を行なわせるワイヤレス・マイクロフォン通信システムに使用するワイヤレス受信機であって、複数の機器の制御のため１つの周波数のトーン信号をオン／オフタイミングで選択出力した信号で搬送波信号を変調され、該被変調波信号を空間に放射された信号を受信し、前記１つの周波数の前記トーン信号を再生する手段と、前記再生した信号のオン／オフ状態に応じた機器および制御動作を検出し、検出した結果に応じて機器の制御動作を行う制御手段とを具備するワイヤレス受信機が提供される。
【００２０】
本発明の第６の観点によれば、音声信号の送信に加えて、トーン信号を用いて機器の制御動作を行なわせるワイヤレス・マイクロフォン通信システムに用いるワイヤレス送信機であって、前記機器の選択と制御動作とを指定する制御動作指定手段と、前記制御動作指定手段で指定された機器に応じたタイミングでオン／オフする複数のタイミング信号を生成するタイミング生成手段と、複数の機器の選択に使用する第１の周波数の第１のトーン信号と、機器の制御動作の選択に使用する第２の周波数の第２のトーン信号とを生成し、前記第１のトーン信号を前記タイミング生成手段で生成されたオン／オフタイミングで出力し、前記第２のトーン信号を連続的に出力する、トーン信号生成手段と、前記トーン生成手段から出力されたオン期間のトーン信号により搬送波信号を変調し、この被変調波信号を空間に放射する手段とを有する、ワイヤレス送信機が提供される。
【００２１】
本発明の第７の観点によれば、音声信号の送信に加えて、トーン信号を用いて機器の制御動作を行なわせるワイヤレス・マイクロフォン通信システムに使用するワイヤレス受信機であって、複数の機器の選択に使用する第１の周波数の第１のトーン信号と、機器の制御動作の選択に使用する第２の周波数の第２のトーン信号とで、搬送波信号を変調し、該被変調波信号を空間に放射された信号を受信し、前記第１のトーン信号および前記第２のトーン信号を再生する手段と、前記再生した第１のトーン信号のオン／オフ状態に応じた機器を選択し、前記再生した第２のトーン信号に応じて選択した機器の制御動作を行う制御手段とを具備するワイヤレス受信機が提供される。
【発明の効果】
【００２２】
本発明は基本的に、１つの周波数のトーン信号、たとえば、１４．８５ＫＨｚ、９４．８Ｈｚ、１０７．２Ｈｚの３種類のトーン信号のうちの１つの１４．８５ＫＨｚのみを用い、機器の選択および／または操作に応じた内容をオン／オフパターンを異ならせれはよいので、使用するトーン信号の周波数が少なくてすみ、広い周波数帯域を必要としない、または、多数の周波数を用いる必要がないという利点がある。
【００２３】
すなわち、本発明は、（１）ワイヤレス受信機側で各種制御をトーン信号の有無に基づいて行うので、トーン信号と同一の雑音が検出された場合、各種機器への制御に誤動作が生じやすく、信頼性に欠けるという問題点、（２）トーン信号の有無に基づいた制御を行う場合、その周波数は、制御に対応した数が必要となり、ワイヤレスマイクにおいて伝送可能な前記限られた可聴周波数帯域内および４０ＫＨｚ以下の可聴周波数帯域外のトーン信号の数の制限により、制御の種類および制御の対象となる機器の数に限りがあるという問題点を克服することができる。
そのため、送信装置と受信装置とがトーン信号を用いたワイヤレス方式で接続されているワイヤレスシステムにおいて、（１）送信装置は、音声通信に用いるトーン信号を生成し、トーン信号の受信装置側における機器の動作を指定し、指定された機器の動作内容に応じて予め設定されたオン／オフパターンのパルス信号を生成して、当該パルス信号がオンまたはオフのいずれかの期間、生成されたトーン信号により搬送波信号を変調し、変調された被変調波信号を空間に放射し、（２）受信装置は、空間に放射された被変調波信号を受信し、検波して変調信号を検出し、それぞれ異なる帯域通過特性を有する複数の帯域通過フィルタを用いて変調信号をフィルタリングし、複数の帯域通過フィルタを通過した信号から機器の動作内容を示すパルス信号に該当する信号を検出し、検出された有効な信号を解析して指定された機器を駆動するための制御動作を行なう。
【００２４】
なお、本発明において、トーン信号の周波数として、たとえば、１４．８５ＫＨｚを使用していた場合にノイズの影響を受けたとき、他のトーン信号の周波数、たとえば、９４．８Ｈｚまたは１０７．２Ｈｚを用いて、たとえば、１４．８５ＫＨｚを使用していた場合と同様、機器の選択および／または操作に応じた内容をオン／オフパターンを異ならせることができる。
その結果、本発明のワイヤレス・マイクロフォン通信システムによれば、限られたトーン周波数を適宜用いて、低雑音に強く、誤動作が生じにくく、信頼性が高い各種機器の制御を行うことができ、回路を増やさずに制御の種類および制御の対象となる機器の数を豊富にすることができるワイヤレス・マイクロフォン通信システムを提供することができる。
【００２５】
また、本発明は、タイミング信号とトーン信号との組み合わせにより、回路を増やさずにさらに制御の種類および制御の対象となる機器の数を豊富にすることができる。
【発明を実施するための最良の形態】
【００２６】
以下、本発明の第一の実施の形態について説明する。
【００２７】
〔第一の実施の形態〕
図１は、本発明の実施の形態のワイヤレス送信機（ワイヤレス・マイクロフォン装置）１の構成を示す図である。
図２（Ａ）〜（Ｃ）は、トーン信号をオン／オフした波形例を示す図である。
図３は、本発明の実施の形態のワイヤレス受信機２の構成を示す図である。
図４（Ａ）〜（Ｃ）は、図２（Ａ）〜（Ｃ）に例示したトーン信号をオン／オフした波形をワイヤレス受信機で受信して復元した波形例を示す図である。
図５（Ａ）〜（Ｄ）は、ワイヤレス・マイクロフォン装置１において搬送波信号を変調し、ワイヤレス受信機２において検出されるトーン信号のオン／オフのタイミングを示す図である。
【００２８】
図１において、入出力回路（Ｉ／Ｏ）１０は、ボタンスイッチ、液晶表示装置等から構成され、ワイヤレス・マイクロフォン装置１に対して電波送出のオン／オフ、あるいはワイヤレス受信機２で実現される各種機器の制御の種別を指定する回路である。
制御回路（ＣＰＵ）１１は、ＣＰＵおよびその周辺回路等から構成され、ワイヤレス・マイクロフォン装置１全体の制御を行うとともに入出力回路１０で指定される前記制御種別等を読み取り、トーン発生回路１２、出力増幅器１５等の制御を行う回路である。
なお、ワイヤレス・マイクロフォン装置１における本発明の本質的な部分はトーン発生回路１２に対する制御にあるので、これ以外の部分に対する制御は説明の便宜上、適宜省略する。
【００２９】
トーン発生回路（ＴＯＮＥ）１２は、制御回路１１の制御に従い、例えば、１４．８５ＫＨｚ、９４．８Ｈｚ、１０７．２Ｈｚの３種類のトーン信号を発生し、所定のタイミングで活性化／不活性化（オン／オフ）して発信／変調回路１３に出力する回路である。
ここで、活性化（オン）するとは、トーン信号を出力すること、不活性化（オフ）するとは、トーン信号の出力を停止することである。
【００３０】
発信／変調回路（ＯＳＣ）１３は搬送波信号を発生し、これをトーン発生回路１２から入力されるトーン信号を変調信号として、直接にＦＭ変調し、被変調波信号として出力増幅器１５に出力する回路である。ここでは、搬送波信号として、例えば２４０ＭＨｚの信号が使用される。
なお、発信／変調回路１３における変調方式はＦＭ変調に限らず、ワイヤレス・マイクロフォン通信システムの構成によっては他の方式、例えばＡＭ変調方式でもよい。また、搬送波発信回路と変調回路を別々に設けてもよい。
ここで、変調信号としては他に音声信号があるが、説明の便宜上省略している。
出力増幅器（ＰＡ）１５は、発信／変調回路１３から入力される被変調波信号を増幅し、アンテナ１６を介して送出する回路である。
【００３１】
ワイヤレス・マイクロフォン装置１の動作の概略は以下の通りである。
ワイヤレス・マイクロフォン装置１の使用者は入出力回路１０を介して制御回路１１にワイヤレス受信機２で実現される制御種別を指定する。この指定を読み取った制御回路１１はトーン発生回路１２を制御し、所定のタイミングで上記３種類のトーン信号をオン／オフし、そのトーン信号を発信／変調回路１３に入力する。
【００３２】
発信／変調回路１３で変調されたトーン信号の波形を例示する。
図２（Ａ）〜（Ｃ）は、あるトーン信号の周波数、たとえば、１４．８５ＫＨｚのトーン信号を、オン／オフしない場合（図２（Ａ））、一定間隔、たとえば、τ＝１０００ｍｓ／１４．８５ＫＨｚ間隔でオン／オフした場合（図２（Ｂ））、２τ期間続けてオンし、２τ期間続けてオフした場合（図２（Ｃ））の波形図を例示する。
図２（Ａ）のトーン信号の波形は第１の機器選択動作、たとえば、入出力回路１０に配設されたボタンＡを押下して発車ベル発車ベルを鳴動させる場合のトーン信号を示し、図２（Ｂ）のトーン信号の波形は第２の機器選択動作、たとえば、ボタンＢを押下した場合は発車ベルを停止させる場合のトーン信号を示し、図２（Ｃ）のトーン信号の波形は第３の機器選択動作、たとえば、ボタンＣを押下して信号ランプを点灯する場合のトーン信号を示す。
【００３３】
発信／変調回路１３においては、前記トーン信号で搬送波信号を変調し、出力増幅器１５およびアンテナ１６を介して被変調波信号を電波としてワイヤレス受信機２に送出する。
【００３４】
図３において、受信回路２１は、アンテナ２０を介して電波信号として受信された前記被変調波信号を増幅し、検波して変調信号を検出し、バンドパスフィルタ２２ａ〜２２ｃに出力する回路である。
なお、受信回路２１はごく一般的なＦＭ受信機と同様のものである。
また、検波方式はワイヤレス・マイクロフォン装置１の変調方式に合った方式が使われる。
【００３５】
バンドパスフィルタ（ＢＰＦ）２２ａ〜２２ｃは、それぞれ通過中心周波数が１４．８５ＫＨｚ、９４．８Ｈｚ、１０７．２Ｈｚであり、急峻な選択性を有するバンドパスフィルタ回路である。
バンドパスフィルタ２２ａ〜２２ｃは、受信回路２１で検出された変調波からそれぞれの中心周波数に対応するトーン信号を取り出し、検出回路２３に出力する。
【００３６】
検出回路２３ａ〜２３ｃは、それぞれ対応するバンドパスフィルタ２２ａ〜２２ｃから出力されるトーン信号の有無を検出する回路である。
検出回路２３ａ〜２３ｃにおいては、それぞれトーン信号が存在する場合出力はＨ（論理値１）となり、存在しない場合出力はＬ（論理値０）となる。これにより、各トーン信号がオン／オフされるタイミングを検出することができる。
なお、ここで述べた論理値は逆であっても構わない。つまり、トーン信号が存在する場合出力はＬ（論理値０）とし、存在しない場合出力はＨ（論理値１）であるとして制御回路２４で処理を行うように構成してもよい。
【００３７】
図４（Ａ）〜（Ｃ）は、たとえば、図２（Ａ）〜（Ｃ）に例示した１４．８５ＫＨｚのトーン信号を、ワイヤレス受信機におけるバンドパスフィルタ２２ａおよび検出回路２３ａで検出した、信号波形例を示す図である。
図４（Ａ）〜（Ｃ）の波形のいずれかから、図２（Ａ）の第１の機器選択動作、たとえば、入出力回路１０に配設されたボタンＡを押下して発車ベル発車ベルを鳴動させる場合のトーン信号か、図２（Ｂ）の第２の機器選択動作、たとえば、ボタンＢを押下した場合は発車ベルを停止させる場合のトーン信号か、図２（Ｃ）の第３の機器選択動作、たとえば、ボタンＣを押下して信号ランプを点灯する場合のトーン信号かを識別できる。
【００３８】
制御回路（ＣＰＵ）２４は、ＣＰＵおよびその周辺回路から構成され、ワイヤレス受信機２全体の制御を行うとともに、検出回路２３ａ〜２３ｃの出力信号を解析し、前記制御種別を識別し、入出力回路２５を介して、ワイヤレス受信機２に接続される各種機器の制御を行う回路である。
入出力回路（Ｉ／Ｏ）２５は、各種機器の制御に使用される信号の駆動回路、ワイヤレス受信機２に対する設定を行うボタンスイッチ、および液晶表示装置等から構成され、ワイヤレス受信機２の動作の設定、制御回路２４の制御に従い、ワイヤレス受信機２に接続される各種機器の制御を行う回路である。
なお、ここではワイヤレス受信機２に対する動作設定については説明の便宜上説明を省略する。
【００３９】
以下、ワイヤレス受信機２の動作の概略を説明する。
アンテナ２０を介して受信された前記被変調波信号は、受信回路２１で増幅され、検波されて変調信号が検出される。
この変調信号をバンドパスフィルタ２２ａ〜２２ｃでフィルタリングし、それぞれ対応するトーン信号が取り出される。このトーン信号は検出回路２３ａ〜２３ｃに入力され、トーン信号の有無が検出される。
このトーン信号の有無の情報は制御回路２４に入力され、解析される。これに基づき、制御回路２４は入出力回路２５を介してワイヤレス受信機２に接続される各種機器の制御を行う。
【００４０】
以下、ワイヤレス・マイクロフォン装置１およびワイヤレス受信機２を含む、システム全体の動作を説明する。
ワイヤレス・マイクロフォン装置１の使用者は、ワイヤレス・マイクロフォン装置１を使用して音声信号の送信（アナウンス）を行うとともに、入出力回路１０に配設されたボタン（図示せず）を押下することにより、ワイヤレス受信機２に接続された各種機器の制御を指定する。
【００４１】
ここで、ワイヤレス受信機２に接続され、制御の対象となる機器は、例えば発車ベルおよび列車内部の信号ランプである。また、入出力回路１０に配設されたボタンＡを押下した場合は発車ベルを鳴らす。ボタンＢを押下した場合は発車ベルを停止する。ボタンＣを押下した場合は信号ランプを点灯する。ボタンＤを押下した場合は信号ランプＤを消灯するという取決めがなされている。
【００４２】
入出力回路１０を介して制御種別の指定を受けた制御回路１１は、ボタンＡを押下した場合はトーン発生回路１２を制御し、たとえば、１４．８５ＫＨｚのトーン信号（第一のトーン信号）を図５（Ａ）に示すタイミングで、図中（Ｈ）（論理値１）で示される期間オンし、図中（Ｌ）（論理値０）で示される期間オフし、発信／変調回路１３に入力する。
【００４３】
以下同様に、ボタンＢを押下した場合は図５（Ｂ）に示すタイミングで、ボタンＣを押下した場合は図５（Ｃ）に示すタイミングで、ボタンＤを押下した場合は図５（Ｄ）に示すタイミングで第一のトーン信号をオン／オフする。このようにオン／オフされた第一のトーン信号は、図２（Ａ）〜（Ｃ）に例示したように、一定の時間発生され、発信／変調回路１３に入力される。
ここで、図５におけるタイミングは図中にｔa で示される時間、例えば１０ｍ秒を単位とし、デューティ比５０％でオン／オフされるものである。ただし、このデューティ比およびタイミングは装置の構成等の要件により自由に選択可能なものである。
【００４４】
発信／変調回路１３は、上記搬送波信号を、上記のようにオン／オフされた第一のトーン信号を変調信号として変調し、被変調波信号とし、出力増幅器１５およびアンテナ１６を介して電波信号としてトーン発生回路２に送出する。
【００４５】
ワイヤレス受信機２において、この電波信号はアンテナ２０で受信され、被変調波信号として受信回路２１に入力される。
受信回路２１では、この被変調波信号を増幅し、検波して変調信号を検出する。この変調信号はバンドパスフィルタ２２ａ〜２２ｃに入力され、トーン信号が取り出される。ここでは第一のトーン信号、たとえば、１４．８５ＫＨｚのトーン信号を使用しているのでバンドパスフィルタ２２ａにおいて第一のトーン信号が取り出される。
【００４６】
バンドパスフィルタ２２ａにおいて取り出された第一のトーン信号は検出回路２３ａに入力され、たとえば、図４（Ａ）〜（Ｃ）に例示したように、信号の有無が検出される。
その結果、図５に示したタイミングが検出される。
検出回路２３ａで検出された上記タイミング情報は制御回路２４に入力され、解析されて、指定された制御種別が識別される。
この制御種別は図５に示す各タイミングに対応して上述のように決められている。
【００４７】
この情報に基づき制御回路２４は、図５（Ａ）に示すタイミングが識別された場合、入出力回路２５を介して発車ベルを制御し、発車ベルを鳴らす。
また、図５（Ｂ）に示すタイミングが識別された場合、入出力回路２５を介して発車ベルを制御し、発車ベルを停止する。
また、図５（Ｃ）に示すタイミングが識別された場合、入出力回路２５を介して信号ランプを制御し、信号ランプを点灯する。
また、図５（Ｄ）に示すタイミングが識別された場合、入出力回路２５を介して信号ランプを制御し、信号ランプを消灯する制御を行う。
以上で第一の実施例における各種機器についての制御を終了する。
以上述べたように、第一の実施例におけるワイヤレス・マイク通信システムでは、第一のトーン信号のタイミングを変更することにより、制御種別を増すことが可能である。
【００４８】
なお、第一の実施の形態においては第一のトーン信号のみを使用して各種機器の制御を行ったが、他のトーン信号を併用し、ここで述べたものと同様な方法で使用し、各種機器の制御を行ってもよい。
また、ワイヤレス・マイクロフォン装置１の入出力回路１０における制御種別の指定はここで述べたものに限らず、例えば液晶表示装置にメニュー画面を表示し、それに従った操作を行うように構成してもよい。
また、制御回路１１、２４においてはＣＰＵは必須構成要素ではなく、ごく簡単な制御のみを行う場合は、ソフトウェアによらない制御を行うように構成してもよい。
また、トーン信号の種類はここで述べたものに限らず、種類の数を増やし、また、周波数を変更してもよい。この場合、トーン発生回路１２の構成、バンドパスフィルタ２２の数および特性、および検出回路２３の数はそれに合わせて変更する必要がある。
また、信頼性向上のため、上記タイミングを何回か検出した後に各種機器の制御を行うように構成してもよい。
【００４９】
〔第二の実施の形態〕
以下、第二の実施の形態について説明する。
第二の実施の形態は、第一の実施の形態で述べた、トーン信号のタイミングと、他のトーン信号の有無の組み合わせにより、それに応じた各種機器への制御を行うものである。
【００５０】
第二の実施の形態におけるワイヤレス・マイクロフォン通信システムは、第一の実施例で述べたワイヤレス・マイクロフォン装置１およびワイヤレス受信機２を使用して実現される。
ここで、１４．８５ＫＨｚのトーン信号を第一のトーン信号、他のトーン信号、つまり９４．８Ｈｚのトーン信号を第二のトーン信号、１０７．２Ｈｚのトーン信号を第三のトーン信号と以下記す。
【００５１】
以下、本発明のワイヤレス・マイクロフォン通信システムの動作を説明する。
ワイヤレス・マイクロフォン装置１の使用者は、ワイヤレス・マイクロフォン装置１を使用して音声信号の送信（アナウンス）を行うとともに、入出力回路１０に配設されたボタン（図示せず）を押下することにより、ワイヤレス受信機２に接続された各種機器の制御を指定する。
【００５２】
ここで、ワイヤレス受信機２に接続され、制御の対象となる機器は、例えば発車ベルおよび列車内部の信号ランプである。また、入出力回路１０に配設されたボタンＡを押下した場合は発車ベルを鳴らす。ボタンＢを押下した場合は発車ベルを停止する。ボタンＣを押下した場合は信号ランプを点灯する。ボタンＤを押下した場合は信号ランプＤを消灯するという取決めがなされている。
【００５３】
入出力回路１０を介して制御種別の指定を受けた制御回路１１は、ボタンＡを押下した場合はトーン発生回路１２を制御し、第一のトーン信号を図５（Ａ）に示すタイミングで、図中（Ｈ）（論理値１）で示される期間オンし、図５中（Ｌ）（論理値０）示される期間オフし、さらに第二のトーン信号を連続的に発生し、発信／変調回路１３に入力する。
以下同様に、ボタンＢを押下した場合は図５（Ａ）に示すタイミングで第一のトーン信号を発生し、さらに第三のトーン信号を連続的に発生する。
ボタンＣを押下した場合は図５（Ｂ）に示すタイミングで第一のトーン信号を発生し、さらに第二のトーン信号を連続的に発生する。
ボタンＣを押下した場合は図５（Ｂ）に示すタイミングで第一のトーン信号を発生し、さらに第三のトーン信号を連続的に発生する。
【００５４】
つまり、ここでは、第一のトーン信号のタイミングは制御の対象となる機器を指定し、第二、第三のトーン信号はその機器に対する制御の内容を指定する。
このようにオン／オフされた第一のトーン信号と、連続的に発生される第二、第三のトーン信号は一定時間発信／変調回路１３に入力される。
【００５５】
発信／変調回路１３は、前記搬送波信号を第一、および第二、または、第三のトーン信号を変調信号として変調し、被変調波信号とし、出力増幅器１５およびアンテナ１６を介して電波信号としてトーン発生回路２に送出する。
【００５６】
ワイヤレス受信機２において、この電波信号はアンテナ２０で受信され、被変調波信号として受信回路２１に入力される。
受信回路２１では、この被変調波信号を増幅し、検波して変調信号を検出する。この変調信号はバンドパスフィルタ２２ａ〜２２ｃに入力され、トーン信号が取り出される。ここでは第一、および、第二、または第三のトーン信号を使用しているのでバンドパスフィルタ２２ａ〜２２ｃにおいて上記各トーン信号が取り出される。
【００５７】
バンドパスフィルタ２２ａ〜２２ｃにおいて取り出された第一、および、第二、または、第三のトーン信号はそれぞれ対応する検出回路２３ａ〜２３ｃに入力され、信号の有無が検出される。
ここで、第一のトーン信号については図５に示したタイミングが検出される。
検出回路２３ａで検出された第一のトーン信号のタイミング情報は制御回路２４に入力され、解析されて、指定された制御の対象となる機器が識別される。
この制御の対象となる機器は図５に示す各タイミングに対応して上述のように決められている。
検出回路２３ｂ、２３ｃで検出された第二、または、第三のトーン信号は制御回路２４に入力され、解析されて指定された制御の対象の機器についての制御内容が識別される。
【００５８】
この情報に基づき制御回路２４は、図５（Ａ）に示すタイミングが識別され、さらに第二のトーン信号が識別された場合、入出力回路２５を介して発車ベルを制御し、発車ベルを鳴らす。
また、図５（Ｂ）に示すタイミングが識別され、さらに第三のトーン信号が識別された場合、入出力回路２５を介して発車ベルを制御し、発車ベルを停止する。
また、図５（Ｃ）に示すタイミングが識別され、さらに第二のトーン信号が識別された場合、入出力回路２５を介して信号ランプを制御し、信号ランプを点灯する。
また、図５（Ｄ）に示すタイミングが識別され、さらに第三のトーン信号が識別された場合、入出力回路２５を介して信号ランプを制御し、信号ランプを消灯する制御を行う。
以上で第二の実施例におけるワイヤレス・マイクロフォン通信システムの各種機器に対する制御を終了する。
【００５９】
以上述べたように構成することにより、制御の種別をさらに増やすことが可能であるという効果に加えて、２種類のトーン信号を制御に使用するので雑音に強く、信頼性が向上するという効果をも奏する。
第二の実施の形態においても第一の実施の形態で述べたのと同様な変形例が考えられる。
また、第一のトーン信号のタイミングと、第二のトーン信号および第三のトーン信号の有無の組み合わせにより、以上述べた発車ベルおよび信号ランプ以外の制御、例えば客終ベル、アンプ起動等の制御を行ってもよい。
また、上記実施例においては、発車ベルの起動と停止といった制御を別々のボタンを押すことにより指定したが、同一のボタンを一回目に押した場合に起動、二回目に押した場合に停止するような制御の指定を行うように構成してもよい。
以上述べた各実施例の他に、本発明のワイヤレス・マイクロフォン通信システムは種々の構成をとることができる。上記各実施例は例示である。
【００６０】
トーン信号の使用方法について述べる。
上述したように、トーン発生回路（ＴＯＮＥ）１２は、制御回路１１の制御に従い、例えば、１４．８５ＫＨｚ、９４．８Ｈｚ、１０７．２Ｈｚの３種類のトーン信号を発生する。ただし、１度に使用するトーン信号は、１つである。
これら３種のトーン信号のうちの１つ、たとえば、ノイズに強い１４．８５ＫＨｚを用いて上述した処理を行う。
もし、１４．８５ＫＨｚを使用しているときノイズの影響を強く受けたとき、トーン信号として１４．８５ＫＨｚの使用は止め、他の使用可能なトーン信号、たとえば、９４．８Ｈｚを用いて上述した信号処理を行う。このように、ワイヤレス・マイクロフォン送信機から送出されるトーン信号が変更になっても、ワイヤレス受信機側の９４．８Ｈｚのトーン信号を検出するパンドパスフィルタ、検出回路で検出できる。９４．８Ｈｚのトーン信号を用いて結果、ノイズの影響が少ない場合は、以下、その環境では、９４．８Ｈｚのトーン信号を用いて上述した処理を行う。
さらに、９４．８Ｈｚを使用しているときノイズの影響を強く受けたとき、トーン信号として９４．８Ｈｚの使用は止め、他の使用可能なトーン信号、たとえば、１０７．２Ｈｚを用いて上述した信号処理を行う。このように、ワイヤレス・マイクロフォン送信機から送出されるトーン信号が変更になっても、ワイヤレス受信機側の１０７．２Ｈｚのトーン信号を検出するパンドパスフィルタ、検出回路で検出できる。１０７．２Ｈｚのトーン信号を用いた結果、ノイズの影響が少ない場合は、以下、その環境では、１０７．２Ｈｚのトーン信号を用いて上述した処理を行う。
以上のように、使用可能な３種のトーン信号の周波数を準備しておけば、種々のノイズ環境においても、本発明のワイヤレス・マイクロフォン通信システムを信頼性高く使用できる。
また、本発明においては、機器の選択、および／または、機器の操作内容について、１つのトーン信号について、オン／オフするパターンを種々異ならせるので、トーン信号として多数の周波数または広い周波数帯域を必要としない。
【００６１】
以上述べた本発明の実施の形態から下記の効果が理解できる。
本発明は基本的に、複数の周波数のトーン信号、たとえば、１４．８５ＫＨｚ、９４．８Ｈｚ、１０７．２Ｈｚのトーン信号のうちの１つ、たとえば、１４．８５ＫＨｚのみを用い、機器の選択および／または操作に応じた内容をオン／オフパターンを異ならせれはよいので、使用するトーン信号の周波数が少なくてすみ、広い周波数帯域を必要としない、または、多数の周波数を用いる必要がないという利点がある。
【００６２】
すなわち、本発明は、（１）ワイヤレス受信機側で各種制御をトーン信号の有無に基づいて行うので、トーン信号と同一の雑音が検出された場合、各種機器への制御に誤動作が生じやすく、信頼性に欠けるという問題点、（２）トーン信号の有無に基づいた制御を行う場合、その周波数は、制御に対応した数が必要となり、ワイヤレスマイクにおいて伝送可能な前記限られた可聴周波数帯域内および４０ＫＨｚ以下の可聴周波数帯域外のトーン信号の数の制限により、制御の種類および制御の対象となる機器の数に限りがあるという問題点を克服することができる。
そのため、送信装置と受信装置とがトーン信号を用いたワイヤレス方式で接続されているワイヤレスシステムにおいて、（１）送信装置は、音声通信に用いるトーン信号を生成し、トーン信号の受信装置側における機器の動作を指定し、指定された機器の動作内容に応じて予め設定されたオン／オフパターンのパルス信号を生成して、当該パルス信号がオンまたはオフのいずれかの期間、生成されたトーン信号により搬送波信号を変調し、変調された被変調波信号を空間に放射し、（２）受信装置は、空間に放射された被変調波信号を受信し、検波して変調信号を検出し、それぞれ異なる帯域通過特性を有する複数の帯域通過フィルタを用いて変調信号をフィルタリングし、複数の帯域通過フィルタを通過した信号から機器の動作内容を示すパルス信号に該当する信号を検出し、検出された有効な信号を解析して指定された機器を駆動するための制御動作を行なう。
【００６３】
なお、本発明において、トーン信号の周波数として、たとえば、１４．８５ＫＨｚを使用していた場合にノイズの影響を受けたとき、他のトーン信号の周波数、たとえば、９４．８Ｈｚまたは１０７．２Ｈｚを用いて、たとえば、１４．８５ＫＨｚを使用していた場合と同様、機器の選択および／または操作に応じた内容をオン／オフパターンを異ならせることができる。
その結果、本発明のワイヤレス・マイクロフォン通信システムによれば、限られたトーン周波数を適宜用いて、低雑音に強く、誤動作が生じにくく、信頼性が高い各種機器の制御を行うことができ、回路を増やさずに制御の種類および制御の対象となる機器の数を豊富にすることができるワイヤレス・マイクロフォン通信システムを提供することができる。
【００６４】
また、本発明は、タイミング信号とトーン信号との組み合わせにより、回路を増やさずにさらに制御の種類および制御の対象となる機器の数を豊富にすることができる。
【図面の簡単な説明】
【００６５】
【図１】図１は、本発明の実施の形態のワイヤレス送信機（ワイヤレス・マイクロフォン装置）１の構成を示す図である。
【図２】図２（Ａ）〜（Ｃ）は、トーン信号をオン／オフした波形例を示す図である。
【図３】図３は、本発明の実施の形態のワイヤレス受信機２の構成を示す図である。
【図４】図４（Ａ）〜（Ｃ）は、図２（Ａ）〜（Ｃ）に例示したトーン信号をオン／オフした波形をワイヤレス受信機で受信して復元した波形例を示す図である。
【図５】図５は、ワイヤレス・マイクロフォン装置１において搬送波信号を変調し、ワイヤレス受信機２において検出されるトーン信号のオン／オフのタイミングを示す図である。
【符号の説明】
【００６６】
１・・・ワイヤレス・マイクロフォン装置、２・・・ワイヤレス受信機、１０・・・入出力回路、１１・・・制御回路、１２・・・トーン発生回路、１３・・・発信／変調回路、１５・・・出力増幅器、１６，２０・・・アンテナ２１・・・受信回路、２２・・・バンドパスフィルタ、２３・・・検出回路、２４・・・制御回路、２５・・・入出力回路
【図１】
2004173297.tif 000003
【図２】
2004173297.tif 000004
【図３】
2004173297.tif 000005
【図４】
2004173297.tif 000006
【図５】
2004173297.tif 000007